(57)【要約】      （修正有）【課題】凝縮圧力を低減させ、冷媒の凝縮性能を高めて、冷房性能を向上させると同時に、パッケージ性能を向上させるようにする車両用クーリングモジュールを提供する。【解決手段】車両用クーリングモジュールは、車両の前方に配置され、内部に冷却水が流入して外気との熱交換によって冷却水を冷却させるラジエータと；車両の幅方向に前記ラジエータの一側に配置され、前記ラジエータと冷却水配管を通じて連結されて内部に冷却水が流入し、冷媒配管を通じて冷媒が流入して、内部で冷却水との熱交換によって冷媒を凝縮させる第１コンデンサと；前記第１コンデンサと前記冷媒配管を通じて相互連結されて、前記第１コンデンサから凝縮した冷媒が流入し、前記ラジエータの前方に配置されて、走行中に流入する外気と冷媒の相互熱交換によって前記冷媒を追加的に凝縮させる第２コンデンサとを含む。【選択図】図１
2014118140.tif 000002
【特許請求の範囲】
【請求項１】
車両の前方に配置され、内部に冷却水が流入して外気との熱交換によって冷却水を冷却させるラジエータと；
車両の幅方向に前記ラジエータの一側に配置され、前記ラジエータと冷却水配管を通じて連結されて内部に冷却水が流入し、冷媒配管を通じて冷媒が流入して内部で冷却水との熱交換によって冷媒を凝縮させる第１コンデンサと；
前記第１コンデンサと前記冷媒配管を通じて相互連結されて、前記第１コンデンサから凝縮した冷媒が流入し、前記ラジエータの前方に配置されて、走行中に流入する外気と冷媒の相互熱交換によって前記冷媒を追加的に凝縮させる第２コンデンサと；
を含むことを特徴とする、車両用クーリングモジュール。
【請求項２】
前記第１コンデンサは、
一面の一側と他側に冷却水流入口と冷却水排出口がそれぞれ形成されて、前記ラジエータと冷却水配管を通じて連結されるハウジングと；
前記ハウジングの一端にそれぞれ装着される流入タンク及び排出タンクと；
前記流入タンクと前記排出タンクに対応して前記ハウジングの他端にそれぞれ装着されて、内部で相互連結される連結タンクと；
前記流入タンクと前記排出タンクを前記連結タンクと相互連結する複数個の冷媒流動チューブと；
を含むことを特徴とする、車両用クーリングモジュール。
【請求項３】
前記各冷媒流動チューブは、
前記流入タンク、前記排出タンク、及び第１、第２連結タンクの長さ方向に沿って等間隔で離隔するように装着されることを特徴とする、請求項２に記載の車両用クーリングモジュール。
【請求項４】
前記各冷媒流動チューブは、
前記冷媒流動チューブの長さ方向に沿って相互交差した位置に交互に配置されて、前記ハウジングの内部で流動する冷却水の流動方向を変更する複数個の隔膜が装着されることを特徴とする、請求項２に記載の車両用クーリングモジュール。
【請求項５】
前記各冷媒流動チューブは、
間に放熱ピンを備えることを特徴とする、請求項２に記載の車両用クーリングモジュール。
【請求項６】
前記第１コンデンサは、
前記ハウジングの一側で前記排出タンクと前記第２コンデンサに前記冷媒配管を通じて相互連結され、前記排出タンクから排出される凝縮した冷媒内部に残存する気体状態の冷媒を分離するレシーバドライヤが装着されることを特徴とする、請求項２に記載の車両用クーリングモジュール。
【請求項７】
前記第１コンデンサは、
前記レシーバドライヤを通じて前記第２コンデンサと直列に連結されることを特徴とする、請求項６に記載の車両用クーリングモジュール。
【請求項８】
前記第２コンデンサは、
前記ラジエータの前方上部に長さ方向に装着されることを特徴とする、請求項１に記載の車両用クーリングモジュール。
【請求項９】
前記第２コンデンサは、
ピン−チューブタイプの熱交換機から形成されることを特徴とする、請求項１に記載の車両用クーリングモジュール。
【請求項１０】
前記ラジエータは、
冷却水が流入する流入口が形成された第１ヘッダタンクと；
前記第１ヘッダタンクから一定の間隔で離隔するように配置され、冷却水が排出される排出口が形成されて、前記冷却水配管を通じて冷却された冷却水を前記ハウジングに排出する第２ヘッダタンクと；
前記第１ヘッダタンクと第２ヘッダタンクを相互連結して、前記第１、第２ヘッダタンクの長さ方向に沿って一定の間隔で離隔し、間に放熱ピンが装着される複数個のチューブと；
を含むことを特徴とする、請求項２に記載の車両用クーリングモジュール。
【請求項１１】
前記流入口と排出口は、
互いに反対方向で前記第１ヘッダタンクと第２ヘッダタンクにそれぞれ形成されることを特徴とする、請求項１０に記載の車両用クーリングモジュール。
【発明の詳細な説明】
【技術分野】
【０００１】
本発明は、車両用クーリングモジュールに関し、より詳しくは、冷却水を外気との熱交換によって冷却させるラジエータにおける冷媒の凝縮時に、冷却水と外気をそれぞれ使用する水冷式コンデンサと空冷式コンデンサを含んで構成した車両用クーリングモジュールに関する。
【背景技術】
【０００２】
一般に、自動車のエアコンシステムは、外部の温度変化に関係なく、自動車の室内温度を適当な温度に維持して、快適な室内環境を維持できるようにする。
【０００３】
このようなエアコンシステムは、冷媒を圧縮する圧縮器と、前記圧縮器で圧縮された冷媒を凝縮して液化させるコンデンサと、前記コンデンサで凝縮して液化した冷媒を急速に膨張させる膨張バルブと、前記膨張バルブで膨張した冷媒を蒸発させながら、冷媒の蒸発潜熱を利用して前記エアコンシステムが設けられた室内に送風される空気を冷却する蒸発器などを主な構成要素として含む。
【０００４】
しかし、このような従来のエアコンシステムは、冷媒の凝縮のための冷却時に、水冷式コンデンサを適用する場合、冷却水がコンデンサで冷媒と熱交換されることにより、コンデンサの出口の冷媒温度が上昇することによって、所要動力が増大するという問題点がある。
【０００５】
また、水冷式コンデンサは、空冷式コンデンサに比べて、冷却水の熱容量が大きくて凝縮圧力は低くなるが、冷却水と冷媒の温度差が小さく、外気に比べて冷却水温が高いことで、サブクール（Ｓｕｂ  ｃｏｏｌ）の形成が困難であるため、エアコンシステムの全体的な冷房性能が低下するという短所がある。
【０００６】
これを防止するためには、大容量のクーリングファンとラジエータが要求されるが、狭いエンジンルーム内部でレイアウトが不利になり、車両の全体的な重量と原価の側面で悪影響を与える短所もある。
【０００７】
また、狭いエンジンルーム内部に水冷式コンデンサを装着するためには、フェンダの後方またはエンジンルームの後方に装着しなければならないが、空間確保が困難で、連結配管及び配置レイアウトが複雑になり、組立性及び装着性が低下すると同時に、エンジンルームの熱害が性能の阻害要素として作用するおそれがあり、冷媒流動抵抗が増加して圧縮器の消費動力が増加する問題点もある。
【０００８】
そして、モータと電気動力部品及びスタックなどが適用される親環境車両の場合には、冷却水が各構成要素を冷却した後にコンデンサに流入して、その温度が上昇することにより、冷媒の凝縮量がさらに低下する問題点も有している。
【発明の概要】
【発明が解決しようとする課題】
【０００９】
そこで、本発明は上記の問題点に鑑みてなされたものであって、本発明の目的は、冷媒の凝縮時に、冷却水を使用する水冷式と、外気を使用する空冷式とを共に適用することにより、凝縮圧力を低減させ、冷媒の凝縮性能を高めて、冷房性能を向上させると同時に、冷却水を外気との熱交換によって冷却させるラジエータに含めて構成することにより、パッケージ性能を向上させるようにする車両用クーリングモジュールを提供することにある。
【課題を解決するための手段】
【００１０】
このような目的を達成するための本発明の実施例による車両用クーリングモジュールは、車両の前方に配置され、内部に冷却水が流入して外気との熱交換によって冷却水を冷却させるラジエータ；車両の幅方向に前記ラジエータの一側に配置され、前記ラジエータと冷却水配管を通じて連結されて内部に冷却水が流入し、冷媒配管を通じて冷媒が流入して、内部で冷却水との熱交換によって冷媒を凝縮させる第１コンデンサと；前記第１コンデンサと前記冷媒配管を通じて相互連結されて、前記第１コンデンサから凝縮した冷媒が流入し、前記ラジエータの前方に配置されて、走行中に流入する外気と冷媒の相互熱交換によって前記冷媒を追加的に凝縮させる第２コンデンサとを含む。
【００１１】
前記第１コンデンサは、一面の一側と他側に冷却水流入口と冷却水排出口がそれぞれ形成されて、前記ラジエータと冷却水配管を通じて連結されるハウジングと；前記ハウジングの一端にそれぞれ装着される流入タンク及び排出タンクと；前記流入タンクと前記排出タンクに対応して前記ハウジングの他端にそれぞれ装着されて、内部で相互連結される連結タンクと；前記流入タンクと前記排出タンクを前記連結タンクと相互連結する複数個の冷媒流動チューブとを含むことができる。
【００１２】
前記各冷媒流動チューブは、前記流入タンク、前記排出タンク、及び第１、第２連結タンクの長さ方向に沿って、等間隔で離隔するように装着することができる。
【００１３】
前記各冷媒流動チューブは、前記冷媒流動チューブの長さ方向に沿って相互交差した位置に交互に配置して、前記ハウジングの内部で流動する冷却水の流動方向を変更する複数個の隔膜を装着することができる。
【００１４】
前記各冷媒流動チューブは、間に放熱ピンを備えることができる。
【００１５】
前記第１コンデンサは、前記ハウジングの一側で前記排出タンクと前記第２コンデンサに前記冷媒配管を通じて相互連結され、前記排出タンクから排出される凝縮した冷媒内部に残存する気体状態の冷媒を分離するレシーバドライヤを装着することができる。
【００１６】
前記第１コンデンサは、前記レシーバドライヤを通じて前記第２コンデンサと直列に連結することができる。
【００１７】
前記第２コンデンサは、前記ラジエータの前方上部に長さ方向に装着することができる。
【００１８】
前記第２コンデンサは、ピン−チューブタイプの熱交換機から形成することができる。
【００１９】
前記ラジエータは、冷却水が流入する流入口が形成された第１ヘッダタンクと；前記第１ヘッダタンクから一定の間隔で離隔するように配置され、冷却水が排出される排出口が形成されて、前記冷却水配管を通じて冷却された冷却水を前記ハウジングに排出する第２ヘッダタンクと；前記第１ヘッダタンクと第２ヘッダタンクを相互連結し、前記第１、第２ヘッダタンクの長さ方向に沿って一定の間隔で離隔して、間に放熱ピンが装着される複数個のチューブを含むことができる。
【００２０】
前記流入口と排出口は、互いに反対方向で前記第１ヘッダタンクと第２ヘッダタンクにそれぞれ形成することができる。
【発明の効果】
【００２１】
上述のように、本発明の実施例による車両用クーリングモジュールによれば、冷媒の凝縮時に、冷却水を使用する水冷式と、外気を使用する空冷式とを共に適用することにより、凝縮圧力を低減させ、冷媒の凝縮性能を高めて、冷房性能を向上させると同時に、冷却水を外気との熱交換によって冷却させるラジエータに含めて統合型で構成することにより、パッケージ性能を向上させる効果がある。
【００２２】
また、冷媒の凝縮圧力の低減と凝縮性能を向上させることにより、圧縮器の所要日を低減させることができるので、車両の全体的な燃費を改善する効果もある。
【００２３】
さらに、車両の幅方向にラジエータの一側に水冷式が適用された第１コンデンサを装着し、ラジエータの前方に空冷式が適用された第２コンデンサを配置して一体形に構成することにより、狭いエンジンルーム内部でレイアウトを簡素化して、空間活用性を向上させ、重量の低減及び製作原価を節減する効果もある。
【図面の簡単な説明】
【００２４】
【図１】本発明の実施例による車両用クーリングモジュールの斜視図である。
【図２】本発明の実施例による車両用クーリングモジュールの正面図である。
【図３】図１に示された車両用クーリングモジュールの一部分に対する拡大図であって、本発明の実施例による車両用クーリングモジュールに適用される第１コンデンサの投影斜視図である。
【図４】本発明の実施例による車両用クーリングモジュールに適用された第１コンデンサの正面図である。
【図５】本発明の実施例による車両用クーリングモジュールにおいて第１コンデンサを通過する冷却水と冷媒の流動を示した図面である。
【発明を実施するための形態】
【００２５】
以下、本発明の好ましい実施例について、添付した図面を参照して詳細に説明する。
【００２６】
これに先立ち、本明細書に記載された実施例と図面に示された構成は、本発明の最も好ましい一実施例に過ぎず、本発明の技術的な思想を全て代弁するものではないので、本出願時点においてこれらを代替できる多様な均等物と変形例があり得ることを理解しなければならない。
【００２７】
そして、明細書の全体において、ある部分がある構成要素を「含む」という場合、これは特に反対になる記載がない限り、他の構成要素を除くことではなく、他の構成要素をさらに含むことができるのを意味する。
【００２８】
また、明細書に記載された「．．．ユニット」、「．．．手段」、「．．．部」、「．．．部材」などの用語は、少なくとも一つの機能や動作を行う包括的な構成の単位を意味する。
【００２９】
図１と図２は、本発明の実施例による車両用クーリングモジュールの斜視図及び正面図であり、図３は図１に示された車両用クーリングモジュールの一部分に対する拡大図であって、本発明の実施例による車両用クーリングモジュールに適用される第１コンデンサの投影斜視図であり、図４は、本発明の実施例による車両用クーリングモジュールに適用された第１コンデンサの正面図であり、図５は、本発明の実施例による車両用クーリングモジュールにおいて第１コンデンサを通過する冷却水と冷媒の流動を示した図面である。
【００３０】
図面を参照すれば、本発明の実施例による車両用クーリングモジュール１００は、冷媒の凝縮時、冷却水を使用する水冷式と、外気を使用する空冷式とを共に適用することにより、凝縮圧力を低減させ、冷媒の凝縮性能を高めて、冷房性能を向上させると同時に、冷却水を外気との熱交換によって冷却させるラジエータに含めて構成することにより、パッケージ性能を向上させることができる構造で形成される。
【００３１】
このために、本発明の実施例による車両用クーリングモジュール１００は、図１と図２に示したように、ラジエータ１１０、第１コンデンサ１２０、及び第２コンデンサ１３０を含んで構成される。
【００３２】
まず、前記ラジエータ１１０は、車両の前方に配置され、内部に冷却水が流入して外気との熱交換によって冷却水を冷却させるようになる。
【００３３】
このようなラジエータ１１０は、後方に風を送風するクーリングファン（図示せず）を装着してもよい。このようなクーリングファンは、走行中に流入する外気と共に前記ラジエータ１１０に風を送風することにより、前記ラジエータ１１０を冷却するようになる。
【００３４】
本実施例において、前記第１コンデンサ１２０は、車両の幅方向に前記ラジエータ１１０の一側に配置され、前記ラジエータ１１０と冷却水配管１１１を通じて連結されて内部に冷却水が流入し、冷媒配管１２１を通じて冷媒が流入して、内部で冷却水との熱交換によって冷媒を凝縮させるようになる。
【００３５】
ここで、前記第１コンデンサ１２０は、図３と図４に示したように、ハウジング１２２、流入タンク１２５、排出タンク１２６、連結タンク１２７、及び冷媒流動チューブ１２８を含んで構成される。
【００３６】
まず、前記ハウジング１２２は、一面の一側と他側に冷却水流入口１２３と冷却水排出口１２４がそれぞれ形成されて、前記ラジエータ１１０と冷却水配管１１１を通じて連結される。
【００３７】
前記流入タンク１２５は、冷媒配管１２１と連結されて冷媒が流入し、前記排出タンク１２６は、冷媒配管１２１と連結されて冷媒を排出するようになる。
【００３８】
本実施例において、前記連結タンク１２７は、前記流入タンク１２５と前記排出タンク１２６に対応して、前記ハウジング１２２の他端にそれぞれ装着され、内部で相互連結される。
【００３９】
そして、前記冷媒流動チューブ１２８は、複数個で構成されて、前記流入タンク１２５と前記排出タンク１２６を前記連結タンク１２７と相互連結するようになる。
【００４０】
ここで、前記各冷媒流動チューブ１２８は、前記流入タンク１２５、前記排出タンク１２６、及び連結タンク１２７の長さ方向に沿って、等間隔で離隔するように装着してもよい。
【００４１】
また、複数個の前記冷媒流動チューブ１２８は、前記流入タンク１２５、前記排出タンク１２６、及び前記連結タンク１２７の長さ方向に沿って、等間隔で離隔するように装着してもよい。
【００４２】
このような各冷媒流動チューブ１２８は、前記冷媒流動チューブ１２８の長さ方向に沿って相互交差した位置に交互に配置して、前記ハウジング１２２の内部で流動する冷却水の流動方向を変更する複数個の隔膜１２９を装着することができる。
【００４３】
前記各隔膜１２９は、図５の（ａ）に示したように、前記各冷媒流動チューブ１２８の一側と他側で相互交差した位置に交互に配置されることにより、前記ラジエータ１１０を通過しながら冷却が完了した冷却水が、前記ハウジング１２２に流入して冷却水排出口１２４に向かって流動する場合、冷却水を隔膜１２９を基準として一側と他側に流動させるようになる。
【００４４】
そのために、冷媒は、前記第１コンデンサ１２０の各冷媒流動チューブ１２８を通過する際に、冷却水との接触面積が増加することにより、さらに効率的に凝縮する。
【００４５】
そして、冷媒は、図５の（ｂ）に示したように、冷媒が冷媒配管１２１を通じて前記流入タンク１２５に流入すれば、前記各冷媒流動チューブ１２８を通じて連結タンク１２７に向かって流動し、連結タンク１２７からさらに冷媒流動チューブ１２８に沿って前記排出タンク１２６に移動して排出される。
【００４６】
このような前記各冷媒流動チューブ１２８は、間に放熱ピンＰが備えられて、内部を流動する冷媒から伝達される熱を前記ハウジング１２２の内部に流入した冷却水で効率的に放出するようになる。
【００４７】
そして、前記第２コンデンサ１３０は、前記第１コンデンサ１２０と前記冷媒配管１２１を通じて相互連結されて、前記第１コンデンサ１２０から凝縮した冷媒が流入し、前記ラジエータ１１０の前方に配置されて、走行中に流入する外気と冷媒の相互熱交換によって前記冷媒を追加的に凝縮させるようになる。
【００４８】
ここで、前記第２コンデンサ１３０は、ピン−チューブタイプの熱交換機から形成することができ、前記ラジエータ１１０の前方上部に長さ方向に装着することができる。
【００４９】
一方、本実施例において、前記ラジエータ１１０は、第１ヘッダタンク１１３、第２ヘッダタンク１１５、及び複数個のチューブ１１７を含んで構成される。
【００５０】
まず、前記第１ヘッダタンク１１３は、冷却水が流入する流入口１１２が形成され、冷却水配管１１１と連結される。
【００５１】
本実施例において、前記第２ヘッダタンク１１５は、第１ヘッダタンク１１３から一定の間隔で離隔するように配置され、冷却水が排出される排出口１１４が形成されて、前記冷却水配管１１１を通じて冷却された冷却水を前記ハウジング１２２に排出するようになる。
【００５２】
ここで、前記流入口１１２と排出口１１４は、互いに反対方向で前記第１ヘッダタンク１１３と第２ヘッダタンク１１５にそれぞれ形成することができる。
【００５３】
そして、前記各チューブ１１７は、前記第１ヘッダタンク１１３と第２ヘッダタンク１１５を相互連結して、前記第１ヘッダタンク１１３及び第２ヘッダタンク１１５の長さ方向に沿って一定の間隔で離隔し、間に放熱ピンＰが装着される。
【００５４】
このように構成される前記ラジエータ１１０は、ピン−チューブタイプの熱交換機であって、各チューブ１１７の間に流入する外気を前記第１ヘッダタンク１１３に流入して、各チューブ１１７を通じて第２ヘッダタンク１１５に流動する冷却水と相互熱交換によって冷却させるようになる。
【００５５】
この時、前記放熱ピンＰは、前記各チューブ１１７の間に構成されて、各チューブ１１７を通じて流動する冷却水から伝達される熱を外部に放出するようになる。
【００５６】
一方、本実施例では、前記第１ヘッダタンク１１３及び第２ヘッダタンク１１５が、ラジエータ１１０の上下部にそれぞれ配置されるものを一実施例として説明しているが、これに限定されず、前記第１ヘッダタンク１１３及び第２ヘッダタンク１１５は、車両の幅方向を基準として前記ラジエータ１１０の両側にそれぞれ配置されるクロスフロータイプから形成され、前記各チューブ１１７を通じて相互連結されて構成される。
【００５７】
一方、本実施例において、前記第１コンデンサ１２０は、前記ハウジング１２２の一側で前記排出タンク１２６と前記第２コンデンサ１３０に前記冷媒配管１２１を通じて相互連結され、前記排出タンク１２６から排出される凝縮した冷媒内部に残存する気体状態の冷媒を分離するレシーバドライヤ１４０を装着することができる。
【００５８】
そのために、冷媒は、図５の（ｂ）に示したように、前記排出タンク１２６から前記レシーバドライヤ１４０に排出され、前記レシーバドライヤ１４０を通過しながら気体状態の冷媒が分離された状態で排出されて、冷媒配管１２１を通じて前記第２コンデンサ１３０に供給される。
【００５９】
ここで、前記第１コンデンサ１２０は、前記レシーバドライヤ１４０を通じて前記第２コンデンサ１３０と直列に連結される。
【００６０】
そのために、前記第２コンデンサ１３０は、前記第１コンデンサ１２０から排出された１次凝縮した冷媒のうち、レシーバドライヤ１４０を通じて相変化していない気体状態の冷媒が分離された液体状態の冷媒だけが流入して、外気との熱交換によって２次凝縮を行うようになる。
【００６１】
一方、本実施例では、レシーバドライヤ１４０が、前記第１コンデンサ１２０の一側に装着されるものを一実施例として説明しているが、これに限定されず、前記レシーバドライヤ１４０は、前記第２コンデンサ１３０の一側に一体形に装着することも可能である。
【００６２】
つまり、本実施例において、前記第１コンデンサ１２０は、冷却流体で冷却水が流入して、内部に流入する冷媒と相互熱交換される水冷式からなり、前記第２コンデンサ１３０は、車両の走行中、外部から流入する外気で冷媒を熱交換させる空冷式からなる。
【００６３】
したがって、水冷式で構成される第１コンデンサ１２０は、外気に比べて熱伝達係数が大きい冷却水を利用して冷媒を冷却させることにより、内部における凝縮圧力を低減させることができる。
【００６４】
そして、空冷式で構成される第２コンデンサ１３０は、第１コンデンサ１２０を通過しながら凝縮した冷媒を前記レシーバドライヤ１４０を通じて液体状態の冷媒だけ供給を受けて、外気を利用して冷却させることにより、外気と冷媒の温度差を大きくすることができるので、サブクールの形成に有利であり、冷媒配管１２１の伝熱量を減らすようになる。
【００６５】
このように構成される本発明の実施例による車両用クーリングモジュール１００は、水冷式の長所である凝縮圧力の低減と、空冷式の長所であるサブクールの形成に有利な点を効率的に利用して、各方式による短所を相互補完する第１コンデンサ１２０及び第２コンデンサ１３０を前記ラジエータ１１０の側方と前方に一体形に構成することにより、全体的なサイズと、狭いエンジンルーム内部における空間活用性を向上させることができるようになる。
【００６６】
一方、本発明の実施例による車両用クーリングモジュール１００を説明することにおいて、前記第２コンデンサ１３０が、レシーバドライヤ１４０を通じて第１コンデンサ１２０と連結されるものを一実施例として説明しているが、これに限定されることではない。
【００６７】
つまり、前記第２コンデンサ１３０は、前記第１コンデンサ１２０から排出される液体と気体の混合冷媒を直接的に供給を受けて、外気との熱交換によって凝縮させた後、レシーバドライヤ１４０に排出し、さらにレシーバドライヤ１４０から気体冷媒が分離された液体冷媒だけ供給を受けて追加的に凝縮させるように、冷媒配管１２１のレイアウトの変更によって連結することができる。
【００６８】
また、前記第２コンデンサ１３０は、冷媒の凝縮効率を向上するためには冷媒の状態別にそれぞれ順次に凝縮させて、さらに効率的な冷媒の凝縮が可能となるように、内部が少なくとも一つ以上に分離されて区切られる。
【００６９】
したがって、上記のように構成される本発明の実施例による車両用クーリングモジュール１００を適用すれば、冷媒の凝縮時に、冷却水を使用する水冷式と、外気を使用する空冷式とを共に適用することにより、凝縮圧力を低減させ、冷媒の凝縮性能を高めて、冷房性能を向上させると同時に、冷却水を外気との熱交換によって冷却させるラジエータ１１０に含めて統合型で構成することにより、パッケージ性能を向上させることができる。
【００７０】
また、冷媒の凝縮圧力の低減と凝縮性能を向上させることにより、圧縮器の所要日を低減させることができるので、車両の全体的な燃費を改善することができる。
【００７１】
さらに、車両の幅方向にラジエータ１１０の一側に水冷式が適用された第１コンデンサ１２０を装着し、ラジエータ１１０の前方に空冷式が適用された第２コンデンサ１３０を配置して一体形に構成することにより、狭いエンジンルーム内部でレイアウトを簡素化して、空間活用性を向上させ、重量低減及び製作原価を節減することができる。
【００７２】
以上、本発明は、たとえ限定された実施例と図面によって説明されたが、本発明はこれによって限定されるものではなく、本発明が属する技術分野における通常の知識を有する者によって本発明の技術思想と特許請求の範囲の均等範囲内で多様な修正及び変形が可能であることはもちろんである。
【符号の説明】
【００７３】
１００  クーリングモジュール
１１０  ラジエータ
１１１  冷却水配管
１１２  流入口
１１３  第１ヘッダタンク
１１４  排出口
１１５  第２ヘッダタンク
１１７  チューブ
１２０  第１コンデンサ
１２１  冷媒配管
１２２  ハウジング
１２３  冷媒流入口
１２４  冷媒排出口
１２５  流入タンク
１２６  排出タンク
１２７  連結タンク
１２８  冷媒流動チューブ
１２９  隔膜
１３０  第２コンデンサ
１４０  レシーバドライヤ
Ｐ  放熱ピン
【図１】
2014118140.tif 000003
【図２】
2014118140.tif 000004
【図３】
2014118140.tif 000005
【図４】
2014118140.tif 000006
【図５】
2014118140.tif 000007